(57)【要約】【課題】  既存のシャワー施設にも追加的に設置することが可能であり、且つ、水圧変動があってもシャワーヘッドを任意の位置に安定して保持できるうえ、シャワーホースが足元に垂れ下がることがなく、シャワーホースにつまずくようなおそれがないシャワーヘッド保持具を提供すること。【解決手段】  既存のシャワーホースＨ１を覆って保持するホースカバーアーム部２と、このホースカバーアーム部２を載置して水平回動自在に支持する回動部３と、ホースカバーアーム部２及び回動部３を支えるための支持反力をシャワー施設の壁面から得る支持部４と、を備え、ホースカバーアーム部２に、略同形の複数の筒状体５が互いに嵌合されて連結された筒状連結体５’と、筒状体５同士を回動・傾倒自在に連結する回動節６と、を設け、筒状連結体５’又は筒状体５内に既存のシャワーホースＨ１を内包する。【選択図】      図１
2014095218.tif 000002
【特許請求の範囲】
【請求項１】
既存のシャワー施設に追加的に設置され、既存のシャワーヘッドを任意の位置に固定して保持するシャワーヘッド保持具であって、
既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、
前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包することを特徴とするシャワーヘッド保持具。
【請求項２】
前記支持部は、その上端に既存のシャワーヘッドを係合保持する既存のフックに係合する球体ハンガーを有する請求項１に記載のシャワーヘッド保持具。
【請求項３】
前記支持部は、その下端に既存のシャワー施設の壁面に吸い付く吸盤を有する請求項２に記載のシャワーヘッド保持具。
【請求項４】
前記ホースカバーアーム部のシャワーヘッド側の端部には、既存のシャワーヘッドを把持するシャワーヘッドクリップが設けられている請求項１ないし３のいずれかに記載のシャワーヘッド保持具。
【請求項５】
前記支持部は、既存のシャワー施設の壁面にネジ止め固定されている請求項１に記載のシャワーヘッド保持具。
【発明の詳細な説明】
【技術分野】
【０００１】
この発明は、既存のシャワー施設に追加的に設置され、既存のシャワーヘッドを任意の位置に固定して保持するシャワーヘッド保持具に関するものである。
【背景技術】
【０００２】
従来、シャワーヘッドを任意の位置に保持し、使用者が手を使わなくてもシャワーを浴びることができるシャワーヘッド保持具が知られている（例えば、特許文献１、２）。
【０００３】
特許文献１には、上下スライドバーと、このスライドバー上をスライド可能な左右首振り機構と、この左右首振り機構の先に設けられた上下首振り機構と、を備え、シャワーヘッドの高さ調節だけではなく、前後、上下方向へも自分で好きな位置に固定して、シャワーを浴びることができ、そのため、手にシャワーを持たなくても、好きな位置にシャワーを固定して浴びることができるシャワーヘッドホルダーが開示されている（特許文献１の特許請求の範囲の請求項４、明細書の段落００１１〜００１７、図１等参照）。
【０００４】
特許文献２には、浴室壁Ｗに設けられる基端部に枢支部２を介して、枢支部（第２の枢支部４）を介して長手方向の端部同士が連結される複数のアーム部（第１のアーム部３、第２のアーム部５）の連結されていない一端部を接続すると共に、複数のアーム部の連結されていない他端部を枢支部（第３の枢支部６）を介してシャワーハンガー７に接続し、浴室壁に設けた基端部から水平方向の任意の位置（第１のアームと第２のアームの長さを合わせた距離内）に配置することができ、使用者がシャワーを浴びる際、シャワーハンガーの位置の自由度が高まってシャワーを浴びる姿勢の制約が少ないシャワーハンガー装置が開示されている（特許文献２の特許請求の範囲の請求項１、明細書の段落００１６〜００１９、図面の図１、図８等参照）。
【０００５】
しかし、特許文献１に記載のシャワーヘッドホルダー、及び特許文献２に記載のシャワーハンガー装置は、シャワーヘッドの固定した位置によっては、シャワーホースが浴室の床に垂れ下がり、使用者がシャワーを浴びる際に邪魔になるうえ、シャワーホースにつまずくおそれがあるという問題があった。
【０００６】
また、シャワーホースが浴室の床に垂れ下がることを防止できるものとして、特許文献３には、シャワーヘッド１とホース２からなるハンドシャワーのホース２を適度な剛性があって自在に変形可能なフレキシブルホースとし、浴室内の任意の位置に固定して、任意の方向に水流を向けられるハンドシャワーが開示されている（特許文献３の特許請求の範囲の請求項１、明細書の段落０００５、図面の図１等参照）。
【０００７】
そして、特許文献４には、シャワーヘッド３３とシャワーホース３１の間に、屈曲可能でシャワーヘッド３３を起立姿勢に維持できる姿勢維持ホース部３４を設け、シャワーヘッド３３と姿勢維持ホース部３４の連結部に、壁面１１に取り付けられたシャワー保持具３７に着脱可能に係合できる上部係合部３５を設け、姿勢維持ホース部３４とシャワーホース３１の連結部に上部係合部３５と同一の下部係合部３６を設け、この姿勢維持ホース部３４を蛇腹構造のホースで構成することにより、使用時における他の動作の邪魔にならず、かつ構造が簡単で安価なシャワー装置が開示されている（特許文献４の特許請求の範囲の請求項１、明細書の段落０００５〜０００７、図面の図３等参照）。
【０００８】
しかし、特許文献３に記載のハンドシャワー、及び特許文献４に記載のシャワー装置は、既存のシャワー施設に改修工事等で追加的に設置できるものではなく、そのうえ、金属の帯状の板を螺旋状に巻いた構造や、金属製の蛇腹構造などでシャワーヘッドを保持するものであり、シャワーヘッドの重みや水圧変動により、シャワーヘッドを任意の位置に安定して固定し続けることができないという問題があった。
【先行技術文献】
【特許文献】
【０００９】
【特許文献１】特開平１１−２９９６４号公報
【特許文献２】特開２００９−１５５８４２号公報
【特許文献３】特開２００１−１１５５１４号公報
【特許文献４】特開２００３−３１９８８６号公報
【発明の概要】
【発明が解決しようとする課題】
【００１０】
そこで、この発明は、前記従来技術の問題を解決し、既存のシャワー施設にも追加的に設置することが可能であり、且つ、水圧変動があってもシャワーヘッドを任意の位置に安定して保持できるうえ、シャワーホースが足元に垂れ下がることがなく、シャワーホースにつまずくようなおそれがないシャワーヘッド保持具を提供することを目的とする。
【課題を解決するための手段】
【００１１】
前記課題を解決するために、請求項１に記載の発明は、既存のシャワー施設に追加的に設置され、既存のシャワーヘッドを任意の位置に固定して保持するシャワーヘッド保持具であって、既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包することを特徴とする。
【００１２】
請求項２に記載の発明は、請求項１に記載のシャワーヘッド保持具において、前記支持部は、その上端に既存のシャワーヘッドを係合保持する既存のフックに係合する球体ハンガーを有する。
【００１３】
請求項３に記載の発明は、請求項２に記載のシャワーヘッド保持具において、前記支持部は、その下端に既存のシャワー施設の壁面に吸い付く吸盤を有する。
【００１４】
請求項４に記載の発明は、請求項１ないし３のいずれかに記載のシャワーヘッド保持具において、前記ホースカバーアーム部のシャワーヘッド側の端部には、既存のシャワーヘッドを把持するシャワーヘッドクリップが設けられている。
【００１５】
請求項５に記載の発明は、請求項１に記載のシャワーヘッド保持具において、前記支持部は、既存のシャワー施設の壁面にネジ止め固定されている。
【発明の効果】
【００１６】
この発明は、前記のようであって、請求項１に記載の発明によれば、既存のシャワー施設に追加的に設置され、既存のシャワーヘッドを任意の位置に固定して保持するシャワーヘッド保持具であって、既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包するので、既存のシャワー施設に追加的に設置することができるだけでなく、短い筒状体を互いに嵌合して組み合わせることで既存のシャワーホースの長さに合せて長さ調整が容易であり、簡単に既存のシャワーホースを見栄えよく内包することができる。また、水圧変動があってもシャワーヘッドを任意の位置に安定して保持することができるとともに、ホースが足元に垂れ下がることがなく、ホースにつまずくようなおそれもない。
【００１７】
請求項２に記載の発明によれば、請求項１に記載のシャワーヘッド保持具において、前記支持部は、その上端に既存のシャワーヘッドを係合保持する既存のフックに係合する球体ハンガーを有するので、既存シャワー施設の壁面にある既存のフックに球体ハンガーを引っ掛けるだけで、既存シャワー施設の壁面への支持部の取り付けができ、シャワーヘッド保持具の設置作業を容易に短時間ですることができる。
【００１８】
請求項３に記載の発明によれば、請求項２に記載のシャワーヘッド保持具において、前記支持部は、その下端に既存のシャワー施設の壁面に吸い付く吸盤を有するので、さらに既存シャワー施設の壁面への支持部の取り付けが容易となり、シャワーヘッド保持具の設置作業を容易に短時間ですることができる。
【００１９】
請求項４に記載の発明によれば、請求項１ないし３のいずれかに記載のシャワーヘッド保持具において、前記ホースカバーアーム部のシャワーヘッド側の端部には、既存のシャワーヘッドを把持するシャワーヘッドクリップが設けられているので、シャワーヘッドを任意の位置に固定するだけでなく、任意の角度で把持して固定することができ、さらに、使用者の利便性が向上する。
【００２０】
請求項５に記載の発明によれば、請求項１に記載のシャワーヘッド保持具において、前記支持部は、既存のシャワー施設の壁面にネジ止め固定されているので、シャワー施設の壁面から確実に支持反力を得ることができる。
【図面の簡単な説明】
【００２１】
【図１】この発明の一実施の形態に係るシャワーヘッド保持具を主に示すシャワーの混合水栓（シャワー水栓）の蛇口に対して正対して見た正面図である。
【図２】同上のシャワーヘッド保持具を右側面から見た右側面図である。
【図３】同上の実施の形態に係る筒状体を示す分解斜視図である。
【図４】同上の実施の形態に係る回動節を示す部分拡大図である。
【図５】同上の回動節を示す断面図である。
【図６】同上の実施の形態に係るシャワーヘッドクリップを主に示す部分拡大図である。
【図７】同上の実施の形態に係る回動部を示す斜視図である。
【図８】同上の実施の形態に係る支持部を示す鉛直断面図である。
【図９】同上のシャワーヘッド保持具を簡易サウナとして使用する方法を示す説明図である。
【図１０】同上のシャワーヘッド保持具の変形例を示す正面図である。
【発明を実施するための形態】
【００２２】
図面を参照しながら、この発明の一実施の形態に係るシャワーヘッド保持具について説明する。
【００２３】
図１及び図２に示すように、本実施の形態に係るシャワーヘッド保持具１は、既存のシャワー施設Ｓに追加的に設置されるものであり、既存のシャワーホースＨ１を覆って保持するホースカバーアーム部２と、このホースカバーアーム部２を載置して水平回動自在に支持する回動部３と、これらのホースカバーアーム部２及び回動部３を支えるための支持反力を前記シャワー施設Ｓの壁面から得る支持部４と、から主に構成され、既存のシャワーヘッドＨ２を任意の位置に固定して保持する機能を有している。
【００２４】
（ホースカバーアーム部）
先ず、図１〜図５を用いて、ホースカバーアーム部２について説明する。
図１及び図２に示すように、ホースカバーアーム部２は、角形筒状の略同形の複数の筒状体５から主に構成され、これらの筒状体５同士が複数嵌合・連結され筒状連結体５’となっており、筒状体５及び／又は筒状連結体５’内に既存のシャワーホースＨ１を内包して保持する機能を有している。そして、これらの筒状連結体５’同士、又は筒状連結体５’と筒状体５とは、回動節６で回動・傾倒自在に連結されているとともに、筒状連結体５’又は筒状体５（ホースカバーアーム部２）の先端側、即ち、既存のシャワーヘッドＨ２側には、シャワーヘッドＨ２を把持するシャワーヘッドクリップ７が回動軸受け８を介して回動自在に取り付けられている。
【００２５】
この筒状体５は、図３に示すように、適度に短い所定長さ（例えば、100ｍｍ程度）の合成樹脂又は金属からなる断面コの字状のコの字部材５１，５２から主に構成され、このコの字部材５１，５２間に既存のシャワーホースＨ１を通した状態で互いにネジ止め固定されて組み立てられる。そして、ネジ止めされ組み合わされたコの字部材５１，５２の一端に連結部材５３が嵌着され、この連結部材５３に、別の組み合わされたコの字部材５１，５２の他端が差し込まれてネジ止めされることにより、前述のように、筒状体５同士を複数嵌合・連結させて筒状連結体５’とすることが容易となっている。このため、短い筒状体５を互いに嵌合して組み合わせることで既存のシャワーホースＨ１の長さに合せてホースカバーアーム部２の長さ調整を簡単にすることができる。
また、連結部材５３には、板バネ５４が固着されており、この板バネ５４は、内包するシャワーホースＨ１を押圧固定して保持する機能を有している。
【００２６】
なお、筒状体として、角筒状のものを例示して説明したが、シャワーホースＨ１を内包し得る形状であれば、当然、円筒状のものでもよく、要するに、様々な長さの既存のシャワーホースを汎用的に組み合わせて覆う上で適度に短い所定長さを有し、互いに強固に連結する筒状の部材（物体）であればよい。
【００２７】
回動節６は、図４及び図５に示すように、回動部材６０，６１同士は、歯車部材６２が装着された軸６３により軸着されており、回動部材６０，６１の相対的な回動と同期して歯車部材６２が係止爪６４を弾きながら回転するステップ方式の回転構造となっている。このため、水圧変動があってもシャワーヘッドＨ２が簡単には動かないようになっている。また、軸６３の回りにスプリングコイル６５が装着されており、トルク調整摘み６６を右周りに回すことでトルク調整摘み６６がネジ込まれ、スプリングコイル６５の反発力が強くなり、回動部材６０，６１同士の回動抵抗が強くなるように構成されている。このため既存のシャワーヘッドＨ２の重み等に合わせて回動節６のトルク調整が可能となっており、どのようなシャワー施設ＳのシャワーヘッドＨ２でも筒状連結体５’同士等の傾倒を任意の角度に固定することができる。
それに加え、この回動節６は、回動部材６０，６１同士を１８０度以上の角度、即ち、筒状連結体５’同士を俯角だけでなく仰角にも固定することができる構成となっている。このため、使用者が立った状態の頭の上の任意の位置にシャワーヘッドＨ２を固定することも可能である。
【００２８】
シャワーヘッドクリップ７は、図６に示すように、ホースカバーアーム部２の先端、即ち、シャワーヘッドＨ２側に回動軸受け８を介して前述の筒状体５に取り付けられており、図示しないバネが装着され、このバネの力によりシャワーヘッドＨ２を任意の角度で把持する機能を有している。また、このシャワーヘッドクリップ７には、バネ力調整摘み７ａが設けられ、バネ力調整摘み７ａを回すことでバネを捩じ上げ又は戻すことが可能となっており、シャワーヘッドＨ２の把持力を調節することができるようになっている。そして、シャワーヘッドクリップ７のシャワーヘッドＨ２と当接する部分の形状は、シャワーヘッドＨ２の外形に応じた六角形や八角形などの多角形形状となっており、シャワーヘッドＨ２を確実に把持できる構造となっている。
なお、シャワーヘッドＨ２の外形が、円形などの把持しにくい形状である場合、既存のシャワーホースＨ１とシャワーヘッドＨ２との間に、外形が多角形のソケットを挿入してシャワーヘッドクリップ７で確実に把持できるようにすることが好ましい。
【００２９】
以上のように、図１及び図２で示した本実施の形態に係るホースカバーアーム２は、後述の回動部３に１つの筒状体５が取り付けられ、その先に回動節６を介して５つの筒状体５からなる筒状連結体５’が取り付けられ、その先に回動節６を介して３つの筒状体５からなる筒状連結体５’が取り付けられ、その先に回動節６を介して１つの筒状体５が取り付けられ、その先に回動軸受け８を介してシャワーヘッドクリップ７が取り付けられている構成となっているが、勿論、既存のシャワーホースＨ１の長さ等に合わせて、筒状体５及び回動節６を様々に組み合わせることができることは云うまでもない。そうすることで、どのような長さのシャワーホースにも適用させることができるだけでなく、後述のように様々な用途に使用することができる。
【００３０】
（回動部）
次に、図７、図１及び図２を用いて回動部３について説明する。
この回動部３は、回動部材３０と軸受け部材３１とから主に構成され、歯車部材３２が装着された軸３３により軸着されており、回動部材３０の回動と同期して歯車部材３２が係止爪３４を弾きながら回転する構造となっている。また、回動部材３０がホースカバーアーム部２の下端に嵌合されてネジ止めされ、軸受け部材３１が後述の支持部４の下端に嵌合されてネジ止めされている。このため、シャワーヘッドＨ２を保持するホースカバーアーム部２の回動部３による回転は、ステップ方式となり、任意の角度にシャワーヘッドＨ２を止め易くなっている。
そして、軸３３の周りには、前述の回動節６と同様に、図示しないスプリングコイルが装着されており、トルク調整摘み３５を回すことで、回動部材３０と軸受け部材３１との回動抵抗の強弱が調整できるように構成されている。
【００３１】
（支持部）
次に、図８、図１及び図２を用いて支持部について説明する。
支持部４は、前述の筒状体５と同形の筒状体が５つ連結された筒状連結体５’から主に構成され、この筒状連結体５’の上端に、球体ハンガー４０が取り付けられ、筒状連結体５’の下端に、回動部３の軸受け部材３１が取り付けられ、さらにその下端に、支持吸盤４１が取り付けられており、ホースカバーアーム部２及び回動部３を支えるための支持反力をシャワー施設Ｓの壁面から得る機能を有している。
【００３２】
この球体ハンガー４０は、既存のシャワー施設ＳのシャワーヘッドＨ２を引っ掛けるフックＦに引っ掛けて既存のシャワー施設Ｓの壁面から支持反力を得るためのものであり、フックＦに丁度よく引っ掛かる程度の大きさの径を有する球体からなり、筒状連結体５’の上端にネジ止め固定されている。
【００３３】
支持吸盤４１は、既存のシャワー施設Ｓの壁面に吸着して支持反力を得るためのものであり、前述の軸受け部材３１に回転自在に軸着固定されている。
【００３４】
なお、図示形態では、回動部３が支持部４の下端に取り付けられているものを例示したが、支持部４の途中に設けられていてもよく、支持吸盤４１も筒状連結体５’の下端に取り付けられていればよい。要するに、支持部４で得られる壁からの反力が、回動部３及びホースカバーアーム部２に伝達可能な構成であればよい。
また、筒状体５が５つ連結された筒状連結体５’から主になる支持部４を例示して説明したが、ホースカバーアーム部２の長さ、シャワーヘッドＨ２の重さ、既存のシャワー施設Ｓの壁面の強度等から総合的に判断して支持部４の長さを決定すればよいことは云うまでもない。
【００３５】
以上のように、本実施の形態に係るシャワーヘッド保持具１によれば、既存のシャワー施設に追加的に設置することができるだけでなく、短い筒状体５を互いに嵌合して組み合わせることで既存のシャワーホースＨ１の長さに合せて長さ調整が容易であり、簡単に既存のシャワーホースＨ１をすっきりとして意匠的に見栄えよく内包することができる。また、水圧変動があってもシャワーヘッドＨ２を任意の位置及び角度に安定して保持することができるとともに、ホースが足元に垂れ下がることがなく、ホースにつまずくようなおそれもない。
【００３６】
なお、図１０に示すように、回動節６は、筒状体５に対して前記取り付け方向とは逆方向にも取り付けが可能となっており、回動節６や筒状体５などの組み換え、組み付け等が自在となっている。このため、シャワーヘッドＨ２の任意の位置の固定がより簡単に、且つスムーズに行うことができる。また、図示形態では、既存のシャワー施設Ｓの壁面に回動部３が前記形態とは上下を逆にして直接ネジ止め固定されており、回動部３と支持部４が同一となったものを例示している。このように、この発明のシャワーヘッド保持具は、回動部３と支持部４が同一のものであっても構わない。
【００３７】
［シャワーヘッド保持具の使用方法］
次に、図面を用いて本実施の形態に係るシャワーヘッド保持具１の使用方法について説明する。
（浴室簡易暖房）
図１に示すように、本実施の形態に係るシャワーヘッド保持具１により、シャワーヘッドＨ２を高所に設置して、そこから温水が浴槽Ｙ内に全て落下するように固定する。従来、シャワーの温水により浴室内が暖められることが知られているが、このようにシャワーヘッド保持具１を使用することにより、浴槽Ｙ内に注水する温水により熱伝達で浴室内の空気が暖められて、暖房することができる。しかも、従来のシャワー施設では、狙いが定められないため、多量の温水が無駄になってしまうところ、本実施の形態に係るシャワーヘッド保持具１によれば、浴槽Ｙ内に正確に狙いを定めて温水を注水できるため、無駄なく風呂を沸かしながら浴室内を暖房することができ、暖房施設のない浴室で暖房機能を代替することができる。
【００３８】
（簡易サウナ）
図９に示すように、本実施の形態に係るシャワーヘッド保持具１により、シャワーヘッドＨ２の上下を逆さにして浴槽Ｙ内に挿入して保持し、既存のシャワー施設Ｓのミスト機能を利用する。そうすることで、蓋を閉めた浴槽Ｙ内にミストが充満して簡易サウナとして利用することができる。従来のシャワーヘッド保持具では、シャワーヘッドを引っ掛けて使用するものが多く、シャワーヘッドＨ２の上下を逆さにして使用することができないため、このような使用方法によりシャワー施設を利用することができなかった。
【００３９】
（マッサージシャワー）
本使用方法は、例えば、図６で示すように、シャワーヘッドに設けられた吐水ボタンＢを押圧するとシャワーから吐水への切換が可能なシャワー施設Ｓと本実施の形態に係るシャワーヘッド保持具１とを組み合わせて使用する方法である。シャワーヘッドから注水される温水を吐水ボタンＢで吐水に切り換えたうえ、使用者が浴槽に入り、シャワーヘッド保持具１で背中などの通常手の届かないような任意の位置に固定・保持する。すると、ハンドフリーのまま吐水の勢いを利用してマッサージとして利用することができる。また、湯水も浴槽Ｙ内に溜まるため、節水効果もある。
【００４０】
以上のように、この発明の実施の形態に係るシャワーヘッド保持具を説明したが、この発明は、図示実施の形態に限られず、特許請求の範囲で適宜変更可能なことは云うまでもない。特に、回動部３、回動節６、回動軸受け８などは、ある程度の抵抗を有して回動自在な構成であれば、既存の手段や構成等を適宜適用し得る。また、シャワーヘッドクリップ７もシャワーヘッドＨ２を任意の角度に保持可能な構成であれば、適宜適用し得る。
【符号の説明】
【００４１】
１                シャワーヘッド保持具
２                ホースカバーアーム部
３                回動部
４                支持部
４０              球体ハンガー
４１              支持吸盤（吸盤）
５                筒状体
５’              筒状連結体
６                回動節
７                シャワーヘッドクリップ
８                回動軸受け
Ｓ                既存のシャワー施設
Ｈ１              既存のシャワーホース
Ｈ２              既存のシャワーヘッド
Ｙ                既存の浴槽
Ｆ                既存のフック
【図１】
2014095218.tif 000003
【図２】
2014095218.tif 000004
【図３】
2014095218.tif 000005
【図４】
2014095218.tif 000006
【図５】
2014095218.tif 000007
【図６】
2014095218.tif 000008
【図７】
2014095218.tif 000009
【図８】
2014095218.tif 000010
【図９】
2014095218.tif 000011
【図１０】
2014095218.tif 000012
【手続補正書】
【提出日】平成25年4月1日(2013.4.1)
【手続補正１】
【補正対象書類名】特許請求の範囲
【補正対象項目名】全文
【補正方法】変更
【補正の内容】
【特許請求の範囲】
【請求項１】
既存のシャワー施設に追加的に設置され、既存のシャワーヘッドを任意の位置に固定して保持するシャワーヘッド保持具であって、
既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、
前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包することを特徴とするシャワーヘッド保持具。
【請求項２】
前記筒状体は、内包する既存のシャワーホースを押圧固定して保持する板バネを有する請求項１に記載のシャワーヘッド保持具。
【請求項３】
前記支持部は、その上端に既存のシャワーヘッドを係合保持する既存のフックに係合する球体ハンガーを有する請求項１又は２に記載のシャワーヘッド保持具。
【請求項４】
前記支持部は、その下端に既存のシャワー施設の壁面に吸い付く吸盤を有する請求項３に記載のシャワーヘッド保持具。
【請求項５】
前記ホースカバーアーム部のシャワーヘッド側の端部には、既存のシャワーヘッドを把持するシャワーヘッドクリップが設けられている請求項１ないし４のいずれかに記載のシャワーヘッド保持具。
【請求項６】
前記支持部は、既存のシャワー施設の壁面にネジ止め固定されている請求項１又は２に記載のシャワーヘッド保持具。
【手続補正２】
【補正対象書類名】明細書
【補正対象項目名】００１１
【補正方法】変更
【補正の内容】
【００１１】
前記課題を解決するために、請求項１に記載の発明は、既存のシャワー施設に追加的に設置され、既存のシャワーヘッドを任意の位置に固定して保持するシャワーヘッド保持具であって、既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包することを特徴とする。
また、請求項２に記載の発明は、請求項１に記載のシャワーヘッド保持具において、前記筒状体は、内包する既存のシャワーホースを押圧固定して保持する板バネを有する。
【手続補正３】
【補正対象書類名】明細書
【補正対象項目名】００１２
【補正方法】変更
【補正の内容】
【００１２】
請求項３に記載の発明は、請求項１又は２に記載のシャワーヘッド保持具において、前記支持部は、その上端に既存のシャワーヘッドを係合保持する既存のフックに係合する球体ハンガーを有する。
【手続補正４】
【補正対象書類名】明細書
【補正対象項目名】００１３
【補正方法】変更
【補正の内容】
【００１３】
請求項４に記載の発明は、請求項３に記載のシャワーヘッド保持具において、前記支持部は、その下端に既存のシャワー施設の壁面に吸い付く吸盤を有する。
【手続補正５】
【補正対象書類名】明細書
【補正対象項目名】００１４
【補正方法】変更
【補正の内容】
【００１４】
請求項５に記載の発明は、請求項１ないし４のいずれかに記載のシャワーヘッド保持具において、前記ホースカバーアーム部のシャワーヘッド側の端部には、既存のシャワーヘッドを把持するシャワーヘッドクリップが設けられている。
【手続補正６】
【補正対象書類名】明細書
【補正対象項目名】００１５
【補正方法】変更
【補正の内容】
【００１５】
請求項６に記載の発明は、請求項１又は２に記載のシャワーヘッド保持具において、前記支持部は、既存のシャワー施設の壁面にネジ止め固定されている。
【手続補正７】
【補正対象書類名】明細書
【補正対象項目名】００１６
【補正方法】変更
【補正の内容】
【００１６】
この発明は、前記のようであって、請求項１に記載の発明によれば、既存のシャワー施設に追加的に設置され、既存のシャワーヘッドを任意の位置に固定して保持するシャワーヘッド保持具であって、既存のシャワーホースを覆って保持するホースカバーアーム部と、このホースカバーアーム部を載置して水平回動自在に支持する回動部と、前記ホースカバーアーム部及び前記回動部を支えるための支持反力を前記シャワー施設の壁面から得る支持部と、が備えられ、前記ホースカバーアーム部は、略同形の複数の筒状体が互いに嵌合されて連結された筒状連結体と、前記筒状体同士を回動・傾倒自在に連結する回動節と、を有し、前記筒状連結体又は前記筒状体内に既存のシャワーホースを内包するので、既存のシャワー施設に追加的に設置することができるだけでなく、短い筒状体を互いに嵌合して組み合わせることで既存のシャワーホースの長さに合せて長さ調整が容易であり、簡単に既存のシャワーホースを見栄えよく内包することができる。また、水圧変動があってもシャワーヘッドを任意の位置に安定して保持することができるとともに、ホースが足元に垂れ下がることがなく、ホースにつまずくようなおそれもない。
そして、請求項２に記載の発明によれば、請求項１に記載のシャワーヘッド保持具において、前記筒状体は、内包する既存のシャワーホースを押圧固定して保持する板バネを有するので、板バネにより、内包する既存のシャワーホースを押圧固定して保持することができる。
【手続補正８】
【補正対象書類名】明細書
【補正対象項目名】００１７
【補正方法】変更
【補正の内容】
【００１７】
請求項３に記載の発明によれば、請求項１又は２に記載のシャワーヘッド保持具において、前記支持部は、その上端に既存のシャワーヘッドを係合保持する既存のフックに係合する球体ハンガーを有するので、既存シャワー施設の壁面にある既存のフックに球体ハンガーを引っ掛けるだけで、既存シャワー施設の壁面への支持部の取り付けができ、シャワーヘッド保持具の設置作業を容易に短時間ですることができる。
【手続補正９】
【補正対象書類名】明細書
【補正対象項目名】００１８
【補正方法】変更
【補正の内容】
【００１８】
請求項４に記載の発明によれば、請求項３に記載のシャワーヘッド保持具において、前記支持部は、その下端に既存のシャワー施設の壁面に吸い付く吸盤を有するので、さらに既存シャワー施設の壁面への支持部の取り付けが容易となり、シャワーヘッド保持具の設置作業を容易に短時間ですることができる。
【手続補正１０】
【補正対象書類名】明細書
【補正対象項目名】００１９
【補正方法】変更
【補正の内容】
【００１９】
請求項５に記載の発明によれば、請求項１ないし４のいずれかに記載のシャワーヘッド保持具において、前記ホースカバーアーム部のシャワーヘッド側の端部には、既存のシャワーヘッドを把持するシャワーヘッドクリップが設けられているので、シャワーヘッドを任意の位置に固定するだけでなく、任意の角度で把持して固定することができ、さらに、使用者の利便性が向上する。
【手続補正１１】
【補正対象書類名】明細書
【補正対象項目名】００２０
【補正方法】変更
【補正の内容】
【００２０】
請求項６に記載の発明によれば、請求項１又は２に記載のシャワーヘッド保持具において、前記支持部は、既存のシャワー施設の壁面にネジ止め固定されているので、シャワー施設の壁面から確実に支持反力を得ることができる。